(57)【特許請求の範囲】
【請求項１】
上部に位置する上部溝と下部に位置する下部溝とからなり左右の端部で互いに連通するガイド溝を備えたプレート部材と、
前記ガイド溝の左右方向に沿って設けられたレール部材と、
前記レール部材に移動可能に設けられたスライド部材と、
前記スライド部材を前記レール部材に沿って左右に往復移動させるスライド部材駆動機構と、
前記スライド部材に回転可能に設けられ先端側に前記ガイド溝に移動可能に係合するピンが設けられた回転係合部と、
前記回転係合部における前記ピンの近傍に設けられた装飾部材と、
前記プレート部材における前記ガイド溝の左右の端部近傍に、それぞれ軸を中心に所定範囲で回転可能に設けられ、回転方向の下方に位置したときに前記ガイド溝の端部を前記上部溝に連通させて前記下部溝に対して遮断させ、回転方向の上方に位置したときに前記ガイド溝の端部を前記下部溝に連通させて前記上部溝に対して遮断させる切替弁と、
前記切替弁を上下移動させる切替弁駆動機構と
を備えたことを特徴とする遊技機の可動装飾装置。
【請求項２】
前記上部溝と前記下部溝との前記左右の端部以外の部分を連通するバイパス溝を設けるとともに、前記プレート部材における前記上部溝と前記バイパス溝との交差部の近傍および前記下部溝と前記バイパス溝との交差部の近傍の少なくとも一方に軸を中心に所定範囲で回転可能な内部切替弁を設け、前記内部切替弁を切替弁駆動機構で上下移動させるようにした請求項１に記載の遊技機の可動装飾装置。
【請求項３】
上部に位置する上部溝と下部に位置する下部溝とからなり左右の端部で互いに連通するガイド溝を備えたプレート部材と、
前記ガイド溝の左右方向に沿って設けられたレール部材と、
前記レール部材に移動可能に設けられたスライド部材と、
前記スライド部材を前記レール部材に沿って左右に往復移動させるスライド部材駆動機構と、
前記スライド部材に回転可能に設けられ先端側に前記ガイド溝に移動可能に係合するピンが設けられた回転係合部と、
前記回転係合部における前記ピンの近傍に設けられた装飾部材と、
前記プレート部材における前記ガイド溝の一方の端部近傍に、軸を中心に所定範囲で回転可能に設けられ、自重またはばねの付勢力により下方に位置したときに、前記ガイド溝の一方の端部を前記上部溝に連通させて前記下部溝に対して遮断させ、前記下部溝から前記上部溝に向かう前記ピンによって押し上げられると上昇し、前記ピンの通過後は自重またはばねの付勢力により下方に位置して前記ピンを前記下部溝から前記上部溝に向かわせる切替弁と
を備えたことを特徴とする遊技機の可動装飾装置。
【請求項４】
前記プレート部材が遊技面に設けられた窓部の奥側下方に配置され、前記装飾部材が前記回転係合部の移動によって、前記窓部の可視面に対して進退するようにした請求項１ないし３のうちのいずれか一つに記載の遊技機の可動装飾装置。
【請求項５】
前記スライド部材における前記回転係合部の回転中心部の近傍部分を中心として回転可能に棒状部を設けるとともに、前記回転係合部の先端部と前記棒状部の先端部とに、棒状連結部の両端部をそれぞれ回転可能に連結してリンク機構を形成し、前記棒状連結部に前記装飾部材を設けて前記装飾部材が左右方向および上下方向への移動に加えて揺動もできるようにした請求項１ないし４のうちのいずれか一つに記載の遊技機の可動装飾装置。
【発明の詳細な説明】
【技術分野】
【０００１】
本発明は、遊技面を装飾するための装飾部材を備えた遊技機の可動装飾装置に関する。
【背景技術】
【０００２】
従来から、パチンコ機やスロットルマシン等の遊技機においては、遊技の面白さを増すためや、リーチのような遊技状態を表すために、装飾部材を移動させる可動装飾装置が設けられている（例えば、特許文献１参照。）。この可動装飾装置（遊技機用演出装置）では、モータの駆動により回転するねじ軸にスライド台座が移動可能に設けられ、そのスライド台座の上部にリアルキャラクターが設置されている。また、ねじ軸の手前には固定壁が設けられており、このため遊技者からは、固定壁の上部でリアルキャラクターが左右に移動する状態が見える。
【０００３】
また、他の可動装飾装置として装飾部材が上下に移動するものもある（例えば、特許文献２参照）。この可動装飾装置には、落下部材を定常位置から落下位置まで移動させる往動手段と、落下部材を落下位置から定常位置まで往動手段とは異なる速度で移動させる復動手段とが備わっている。そして、定常位置は、表示領域から上方に外れた位置に設定されている。このため、表示領域に、突然、落下部材を落下させるという演出を行うことができる。
【先行技術文献】
【特許文献】
【０００４】
【特許文献１】特開２００６−７５２１３号公報
【特許文献２】特開２００６−１９２１５４号公報
【発明の概要】
【０００５】
しかしながら、前述した従来の可動装飾装置のうち、前者は装飾部材が左右に移動し、後者は装飾部材が上下に移動するだけであるため、ともに単純な往復移動になり、演出に変化が少なく面白味に欠けるものであった。
【０００６】
本発明は、前述した問題に対処するためになされたもので、その目的は、装飾部材の移動に変化があり興趣に富む遊技機の可動装飾装置を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係る遊技機の可動装飾装置の構成上の特徴は、上部に位置する上部溝（２２ａ）と下部に位置する下部溝（２２ｂ）とからなり左右の端部（２４ａ，２４ｂ）で互いに連通するガイド溝（２２）を備えたプレート部材（２０）と、ガイド溝の左右方向に沿って設けられたレール部材（４１，６１）と、レール部材に移動可能に設けられたスライド部材（５１）と、スライド部材をレール部材に沿って左右に往復移動させるスライド部材駆動機構（４２，６０）と、スライド部材に回転可能に設けられ先端側にガイド溝に移動可能に係合するピン（５３）が設けられた回転係合部（５４）と、回転係合部におけるピンの近傍に設けられた装飾部材（５８，７８）と、プレート部材におけるガイド溝の左右の端部近傍に、それぞれ軸（２７ａ，２７ｂ）を中心に所定範囲で回転可能に設けられ、回転方向の下方に位置したときにガイド溝の端部を上部溝に連通させて下部溝に対して遮断させ、回転方向の上方に位置したときにガイド溝の端部を下部溝に連通させて上部溝に対して遮断させる切替弁（３１ａ，３１ｂ）と、切替弁を上下移動させる切替弁駆動機構とを備えたことにある。
【０００８】
本発明に係る遊技機の可動装飾装置では、プレート部材に、上部溝と下部溝とからなり両溝の左右の端部が連通する環状のガイド溝を設けている。そして、ガイド溝の左右方向に沿って延びるレール部材にスライド部材を移動可能に設けて、このスライド部材に、先端にガイド溝に係合するピンが設けられた回転係合部を回転可能に設けている。このため、スライド部材がレール部材に沿って往復移動したときに、ピンはガイド溝の上部溝と下部溝とに沿って左右方向および上下方向に移動する。
【０００９】
また、ガイド溝の左右の端部近傍には、切替弁駆動機構の作動によって上下に移動する切替弁が設けられているため、この切替弁の位置を上下に変更することにより、ピンの進行方向を上部溝と下部溝とのいずれにでも変更することができる。これによって、装飾部材は回転係合部の移動にしたがって左右および上下に変化のある移動ができ、興趣に富むものとなる。なお、レール部材としては、単にスライド部材を移動可能に支持するものであってもよいし、スクリューシャフトのように、スライド部材を移動可能に支持するとともに、移動させるための機能も備えたものであってもよい。
【００１０】
また、本発明に係る遊技機の可動装飾装置の他の構成上の特徴は、上部溝と下部溝との左右の端部以外の部分を連通するバイパス溝（２３ａ，２３ｂ）を設けるとともに、プレート部材における上部溝とバイパス溝との交差部の近傍および下部溝とバイパス溝との交差部の近傍の少なくとも一方に軸（２７ｃ，２７ｄ）を中心に所定範囲で回転可能な内部切替弁（３１ｃ，３１ｄ）を設け、内部切替弁を切替弁駆動機構で上下移動させるようにしたことにある。
【００１１】
本発明によると、ピンが通過することのできる溝が増えるため、装飾部材はさらに変化のある移動ができるようになる。なお、内部切替弁を上下移動させる切替弁駆動機構としては、前述した切替弁を上下移動させる切替弁駆動機構を併用してもよいし、内部切替弁用の切替弁駆動機構を別途設けてもよい。
【００１２】
また、本発明に係る遊技機の可動装飾装置の他の構成上の特徴は、上部に位置する上部溝（８２ａ）と下部に位置する下部溝（８２ｂ）とからなり左右の端部で互いに連通するガイド溝（８２）を備えたプレート部材（８０）と、ガイド溝の左右方向に沿って設けられたレール部材と、レール部材に移動可能に設けられたスライド部材と、スライド部材をレール部材に沿って左右に往復移動させるスライド部材駆動機構と、スライド部材に回転可能に設けられ先端側にガイド溝に移動可能に係合するピンが設けられた回転係合部と、回転係合部におけるピンの近傍に設けられた装飾部材と、プレート部材におけるガイド溝の一方の端部近傍に、軸（８６）を中心に所定範囲で回転可能に設けられ、自重またはばねの付勢力により下方に位置したときに、ガイド溝の一方の端部を上部溝に連通させて下部溝に対して遮断させ、下部溝から上部溝に向かうピンによって押し上げられると上昇し、ピンの通過後は自重またはばねの付勢力により下方に位置してピンを下部溝から上部溝に向かわせる切替弁（８７）とを備えたことにある。
【００１３】
本発明に係る遊技機の可動装飾装置では、プレート部材に上部溝と下部溝とからなり、両溝の左右の端部が連通する環状のガイド溝を設けている。そして、ガイド溝の左右方向に沿って延びるレール部材にスライド部材を移動可能に設けて、このスライド部材に、先端にガイド溝に係合するピンが設けられた回転係合部を回転可能に設けている。このため、スライド部材がレール部材に沿って往復移動したときに、ピンはガイド溝に沿って上部溝と下部溝に沿って左右方向および上下方向に移動できる。
【００１４】
また、ガイド溝の一方の端部近傍には、軸を中心に回転でき、自重またはばねの付勢力により下方に位置し上方に付勢されることにより上昇する切替弁が設けられている。このため、切替弁が設けられた部分で、スライド部材を下部溝から上部溝側に移動させる際には、ピンで切替弁を押し上げることによりスライド部材は上部溝に進むことができる。また、ピンがガイド溝の他方の端部を通過する際には、上部溝から下方の下部溝に向かって移動することにより、ピンは抵抗なくガイド溝の端部を通過できる。このため、ピンは、ガイド溝に沿って環状の一方向に移動できる。この場合も、装飾部材は、回転係合部の移動にしたがって左右方向に移動しながら上下方向にも移動できる。
【００１５】
また、本発明に係る遊技機の可動装飾装置のさらに他の構成上の特徴は、プレート部材が遊技面に設けられた窓部の奥側下方に配置され、装飾部材が回転係合部の移動によって、窓部の可視面に対して進退するようにしたことにある。この場合、例えば、ピンが上部溝を通過する際に、窓部に装飾部材が現れ、ピンが下部溝を通過する際に、窓部から装飾部材が消えるようにする。これによると、装飾部材が窓部に突然現れたり隠れたりするようになるため、さらに面白味のある演出が可能になる。
【００１６】
また、本発明に係る遊技機の可動装飾装置のさらに他の構成上の特徴は、スライド部材における回転係合部の回転中心部の近傍部分を中心として回転可能に棒状部（５６）を設けるとともに、回転係合部の先端部と棒状部の先端部とに、棒状連結部（５７）の両端部をそれぞれ回転可能に連結してリンク機構（５２）を形成し、棒状連結部に装飾部材を設けて装飾部材が左右方向および上下方向への移動に加えて揺動もできるようにしたことにある。これによると、装飾部材は左右上下に移動する他、揺動もできるようになるため、さらに興趣に富むものとなる。
【図面の簡単な説明】
【００１７】
【図１】本発明の第１実施形態に係る可動装飾装置を正面側から見た斜視図である。
【図２】可動装飾装置が備えるプレート部材に切替機構を組み付けた状態を正面側から見た斜視図である。
【図３】可動装飾装置が備えるプレート部材に切替機構を組み付けた状態を裏面側から見た斜視図である。
【図４】可動装飾装置が備えるスライドユニットを正面側から見た斜視図である。
【図５】可動装飾装置が備えるスライドユニットを裏面側から見た斜視図である。
【図６】可動装飾装置が備えるプレート部材にスライドユニットを組み付けた状態を示しており、（ａ）は正面図、（ｂ）は（ａ）のｂ−ｂ断面図である。
【図７】スライドユニットが右上部に位置した状態を示した斜視図である。
【図８】スライドユニットが右下部に位置した状態を示した斜視図である。
【図９】スライドユニットが左下部に位置した状態を示した斜視図である。
【図１０】本発明の第２実施形態に係る可動装飾装置の正面図である。
【図１１】本発明の第３実施形態に係る可動装飾装置が備えるプレート部材の斜視図である。
【発明を実施するための形態】
【００１８】
（第１実施形態）
以下、本発明の第１実施形態を図面を用いて説明する。図１は同実施形態に係る遊技機の可動装飾装置Ａを示している。この可動装飾装置Ａは、本発明に係る遊技機としてのパチンコ機の遊技面（図示せず）に組み込まれ、遊技面に形成された窓部の内側と外側との間で装飾部材５８を移動させることにより遊技面に変化を生じさせるものである。可動装飾装置Ａは、パチンコ機の本体側に設けられた取付板１０に、プレート部材２０と、通路切替機構３０と、駆動部４０と、駆動部４０の作動によって移動するスライドユニット５０とを取り付けて構成されている。以下、本実施形態においては、左右、前後および上下の各方向は、図１を基準として記載する。
【００１９】
プレート部材２０は、図２および図３に示したように、左右に長い矩形板状のプレート２１に、ガイド溝２２を形成した構成をしている。プレート部材２０は、樹脂の成形体からなっており、プレート２１におけるガイド溝２２に対応する部分を後方に突出させることによって凹凸のある板状に形成されている。また、プレート２１の前面下部には、前面の他の部分よりも僅かに後方に位置する段差部２１ａが下縁部に沿って形成され、プレート２１の外周側には間隔を保って複数のねじ挿通穴２１ｂ，２１ｃが形成されている。このうち、プレート２１の上部に設けられたねじ挿通穴２１ｂは表面側が大径で奥側が小径になった段違いの穴で構成され、段差部２１ａに形成されたねじ挿通穴２１ｃは、小径の穴で構成されている。
【００２０】
ガイド溝２２は、上部溝２２ａと、下部溝２２ｂと、上部溝２２ａと下部溝２２ｂとをそれぞれ連通するバイパス溝２３ａ，２３ｂとで構成されている。上部溝２２ａは、プレート２１における段差部２１ａを除いた部分の上下方向の中央よりもやや上部側から上縁部よりもやや下方の部分にわたって左右対称に形成されている。この上部溝２２ａは、プレート２１の左端部側から僅かに右方向に水平に延びたのちに右上に向かって緩やかに延び、プレート２１の上部で右方向に水平に延びたのちに、プレート２１の右側で右下に向かって緩やかに延び、さらに、僅かに右方向に水平に延びている。
【００２１】
下部溝２２ｂは、プレート２１における段差部２１ａを除いた部分の上下方向の中央よりもやや上部側から下縁部よりもやや上方の部分にわたって左右対称に形成されており、左右の端部２４ａ，２４ｂでそれぞれ上部溝２２ａに連通している。この下部溝２２ｂは、端部２４ａから僅かに右方向に水平に延びたのちに右下に向かって延び、滑らかに湾曲してプレート２１の下部で右方向に水平に延びたのちに、プレート２１の右側で滑らかに湾曲して右上に延び、さらに、僅かに右方向に水平に延びて端部２４ｂに達している。上部溝２２ａと下部溝２２ｂとの左右両側で僅かに水平に延びる部分は共通する通路を構成している。
【００２２】
バイパス溝２３ａ，２３ｂは、左右対称に形成されており、バイパス溝２３ａは、上部溝２２ａの左右方向の中央よりも僅かに左側部分から左下方に延びて下部溝２２ｂに連通している。また、バイパス溝２３ｂは、上部溝２２ａの左右方向の中央よりも僅かに右側部分から右下方に延びて下部溝２２ｂに連通している。そして、ガイド溝２２の左右両側における上部溝２２ａと下部溝２２ｂとが交差する部分に、それぞれ交差した部分を挟んでガイド溝２２の外部側に延びガイド溝２２よりも幅の大きな部分と、ガイド溝２２の内部側に延びて上部溝２２ａと下部溝２２ｂとの間に位置する扇状の部分とからなる細長い凹部２５ａ，２５ｂが形成されている。
【００２３】
また、上部溝２２ａの左右方向の中央側におけるバイパス溝２３ａ，２３ｂと交差する部分に、それぞれ交差した部分を挟んで上部溝２２ａの上方に突出する三角形の小さな部分と、それぞれ内部側に延びて上部溝２２ａとバイパス溝２３ａ，２３ｂとの間に位置する扇状の部分とからなる細長い凹部２５ｃ，２５ｄが形成されている。そして、プレート２１の裏面（図３参照）における上下方向の略中央で、凹部２５ａ，２５ｃの間および凹部２５ｂ，２５ｄの間に、後方に突出するガイド軸２６ａ，２６ｂが形成されている。なお、図３は、図２と左右方向が逆になっている。このプレート部材２０は、ねじ１１をそれぞれねじ挿通穴２１ｂ，２１ｃに通し、取付板１０に螺合させることにより取付板１０に固定されている。
【００２４】
通路切替機構３０は、４つの切替弁３１ａ，３１ｂ，３１ｃ，３１ｄと、本発明に係る切替弁駆動機構とからなっており、切替弁駆動機構は、切替弁３１ａ，３１ｂ，３１ｃ，３１ｄに連結されるレバー機構３３と、レバー機構３３を駆動するソレノイド３９とで構成されている。切替弁３１ａ，３１ｂ，３１ｃ，３１ｄは、それぞれ幅の広い回転中心部から先端に行くほど細くなった弁カムと、回転中心部から弁カムの先端とは逆方向に延びる細い棒状の作動アームとからなる矢印の形状に形成されている。そして、切替弁３１ａ，３１ｂ，３１ｃ，３１ｄは、それぞれ弁カムの先端をガイド溝２２の外部側や上部側に向け、作動アームをガイド溝２２の内部側に向けた状態で凹部２５ａ，２５ｂ，２５ｃ，２５ｄに配置され、それぞれプレート２１に設けられたカム軸２７ａ，２７ｂ，２７ｃ，２７ｄに回転可能に支持されている。
【００２５】
切替弁３１ａ，３１ｂは、弁カムの先端が下方（凹部２５ａ，２５ｂ内での下方）に位置しているときに、上部溝２２ａと端部２４ａ，２４ｂとを連通させて、下部溝２２ｂと端部２４ａ，２４ｂとを遮断し、弁カムの先端が上方に位置しているときに、下部溝２２ｂと端部２４ａ，２４ｂとを連通させて、上部溝２２ａと端部２４ａ，２４ｂとを遮断する。切替弁３１ｃ，３１ｄは、弁カムの先端が下方（凹部２５ｃ，２５ｄ内での下方）に位置しているときに、上部溝２２ａの左側部分と右側部分とを連通させて、上部溝２２ａとバイパス溝２３ａ，２３ｂとを遮断し、弁カムの先端が上方に位置しているときに、バイパス溝２３ａ，２３ｂを上部溝２２ａに連通させて、上部溝２２ａの左側部分と右側部分とを遮断する。
【００２６】
また、切替弁３１ａ，３１ｂ，３１ｃ，３１ｄの作動アームの裏面の先端部には後方に突出する作動軸３２ａ，３２ｂ，３２ｃ，３２ｄが形成されている。前述した凹部２５ａ，２５ｂ，２５ｃ，２５ｄにおける作動軸３２ａ，３２ｂ，３２ｃ，３２ｄに対応する部分にはそれぞれ前後に貫通する孔が形成されており、作動軸３２ａ，３２ｂ，３２ｃ，３２ｄはこれらの孔を貫通してプレート２１の裏面に突出している。
【００２７】
レバー機構３３は、図３に示したように、弁カム連動レバー３４ａ，３４ｂ、弁カムロッド３５ａ，３５ｂ、弁カム作動レバー３６、弁カム作動クランク部３７および弁カム戻しバネ３８で構成されている。弁カム連動レバー３４ａ，３４ｂは、それぞれ平面状で横長の細長い板状に形成されており、弁カム連動レバー３４ａは切替弁３１ａ，３１ｃを連結し、弁カム連動レバー３４ｂは切替弁３１ｂ，３１ｄを連結している。また、弁カム連動レバー３４ａの切替弁３１ａに連結される端部と、弁カム連動レバー３４ｂの切替弁３１ｂに連結される端部とには厚み方向に貫通する円形の支持穴が形成され、弁カム連動レバー３４ａの切替弁３１ｃに連結される端部と、弁カム連動レバー３４ｂの切替弁３１ｄに連結される端部とには厚み方向に貫通する左右に長い長円形の支持穴が形成されている。
【００２８】
そして、弁カム連動レバー３４ａは、支持穴に切替弁３１ａ，３１ｃの作動軸３２ａ，３２ｃを回転可能な状態で挿入して切替弁３１ａ，３１ｃを連結し、弁カム連動レバー３４ｂは、支持穴に切替弁３１ｂ，３１ｄの作動軸３２ｂ，３２ｄを回転可能な状態で挿入して切替弁３１ｂ，３１ｄを連結している。なお、切替弁３１ａ，３１ｂの作動軸３２ａ，３２ｂは弁カム連動レバー３４ａ，３４ｂの円形の支持穴に対して回転方向だけに移動できるが、切替弁３１ｃ，３１ｄの作動軸３２ｃ，３２ｄは弁カム連動レバー３４ａ，３４ｂの長円形の支持穴に対して回転方向だけでなく長円の延びる方向にも移動できる。このため、弁カム連動レバー３４ａ，３４ｂの全体が下降すると、切替弁３１ａ，３１ｂ，３１ｃ，３１ｄの作動アーム側が下降して弁カムの先端が上昇し、弁カム連動レバー３４ａ，３４ｂの全体が上昇すると、切替弁３１ａ，３１ｂ，３１ｃ，３１ｄの作動アーム側が上昇して弁カムの先端が下降する。
【００２９】
弁カムロッド３５ａ，３５ｂは、それぞれ平面状で縦長の細長い板状に形成されており、上部に、厚み方向に貫通する縦長のガイド孔３５ｃ，３５ｄが形成されている。弁カムロッド３５ａは、上端部を弁カム連動レバー３４ａの裏面における左右方向の中央よりもやや左側部分（図３では右側部分）に軸を介して回転可能に連結され、ガイド孔３５ｃ内にガイド軸２６ａを位置させている。弁カムロッド３５ｂは、上端部を弁カム連動レバー３４ｂの裏面における左右方向の中央よりもやや右側部分（図３では左側部分）に軸を介して回転可能に連結され、ガイド孔３５ｄ内にガイド軸２６ｂを位置させている。弁カムロッド３５ａ，３５ｂは、ガイド軸２６ａ，２６ｂに対するガイド孔３５ｃ，３５ｄの係合位置を上下に変更できる長さ分上下に移動できる。
【００３０】
また、弁カムロッド３５ａ，３５ｂの裏面の下端には、弁カムロッド３５ａ，３５ｂを弁カム作動レバー３６に連結するための軸部３６ａ，３６ｂが設けられている。弁カム作動レバー３６は、上下方向に短く左右方向に長い略Ｔ形の板状に形成されており、左右両端および下端にそれぞれ支持穴が形成されている。弁カム作動レバー３６は、左右両端の支持穴に軸部３６ａ，３６ｂを挿通させて、弁カムロッド３５ａ，３５ｂに対して回転可能に連結されている。そして、弁カム作動レバー３６は、下端の支持穴を介して弁カム作動クランク部３７に連結されている。
【００３１】
弁カム作動クランク部３７は、取付板１０に取り付けられた支軸１２に回転可能に取り付けられており、支軸１２の外周に設けられた筒状部３７ａと、平面部を前後に向けて筒状部３７ａから左方向に延びる長円板状のクランク３７ｂと、平面部を左右に向けて筒状部３７ａから下方に延びる長円板状の作用片３７ｃとで構成されている。また、クランク３７ｂの後面先端に軸部３７ｄが形成されており、この軸部３７ｄは、弁カム作動レバー３６の下端の支持穴に回転可能に係合している。このため、弁カム作動クランク部３７が支軸１２を中心に回転すると、弁カム作動レバー３６は上下に移動する。また、作用片３７ｃの先端には貫通穴が形成されている。
【００３２】
弁カム戻しバネ３８は、コイルバネからなっており、一端が作用片３７ｃに連結され、他端が取付板１０に設けられたフック１３に連結されている。弁カム戻しバネ３８は、作用片３７ｃを左側、すなわち、クランク３７ｂの先端部を上昇させる方向に付勢する。ソレノイド３９は、本体３９ａと、本体３９ａから突出する棒状の作用部３９ｂとを備えており、作用部３９ｂの先端には軸方向に間隔を保って配置された一対の挟持片３９ｃが形成されている。このソレノイド３９は通電により、作用部３９ｂを後退させる。また、作用部３９ｂにおける挟持片３９ｃの間の部分は、作用片３７ｃの先端の貫通穴に挿通している。このため、ソレノイド３９に通電すると、作用片３７ｃは右側、すなわち、クランク３７ｂの先端部を下降させる方向に回転する。
【００３３】
駆動部４０は、本発明に係るレール部材としてのガイド棒４１と、本発明に係るスライド部材駆動機構としてのベルト駆動部４２とで構成されている。ガイド棒４１は、プレート部材２０の前部側下方で左右水平方向に延びており、両端部が取付板１０に設けられた一対の支持部材４１ａ，４１ｂに支持されている。ベルト駆動部４２は、駆動モータ４３、一対のプーリ４４ａ，４４ｂおよびタイミングベルト４４からなっている。駆動モータ４３は、回転軸を後方の取付板１０に向けて、ねじ１４によって取付板１０におけるガイド棒４１の左端下部側に固定されており、回転軸にプーリ４４ａが取り付けられている。
【００３４】
また、取付板１０におけるガイド棒４１の右端下部側に縦長板状の支持部材１５が設けられている。この支持部材１５は、上下方向の略中央を軸部１５ａに回転可能に支持され、上部に、軸１５ｂを介してプーリ４４ｂが回転可能に取り付けられている。そして、プーリ４４ａ，４４ｂに、内周面に歯部が形成されたタイミングベルト４４が掛け渡されている。また、支持部材１５の下端は、一端が取付板１０に固定されたフック１６ａに連結されたばね１６によって左方向に付勢されており、これによって、タイミングベルト４４に適度な張力が加わっている。このため、駆動モータ４３の駆動によりプーリ４４ａが回転すると、その回転力がタイミングベルト４４に伝わってタイミングベルト４４が回転し、タイミングベルト４４の回転に追従してプーリ４４ｂが回転する。
【００３５】
スライドユニット５０は、図４および図５に示したように、スライド部材５１に回転リンク機構５２を介して装飾部材５８を組み付けて構成されている。スライド部材５１は、本体５１ａと、本体５１ａの下部に形成された摺動筒部５１ｂと、摺動筒部５１ｂの下部に形成された挟持部５１ｃとで構成されている。本体５１ａは、略四角形の左下の角部を切り欠いた形状の板の裏面周縁部に後方に向かって僅かに突出する壁部を形成した形状をしており、上下方向の略中央の左部分に前後に貫通する穴部（図示せず）が形成されている。
【００３６】
摺動筒部５１ｂは、本体５１ａの下縁部に沿って左右に延びる四角筒状に形成されており、本体５１ａの裏面側に突出している。この摺動筒部５１ｂの対向する内面間の距離はそれぞれガイド棒４１の直径よりも僅かに長くなっており、摺動筒部５１ｂは、内部にガイド棒４１を通しがたつくことなくガイド棒４１に沿って移動できるように構成されている。また、摺動筒部５１ｂの前面における両側部分と、摺動筒部５１ｂの後面における中央部分とにはそれぞれ内部空間に連通する切欠き部が形成されている。
【００３７】
挟持部５１ｃは、摺動筒部５１ｂの下縁部における左右方向の中央よりもやや右側部分の下方に連結片５１ｄを介して連結されており、左右に延びる四角柱の前面に左右に延びる把持溝５１ｅを形成した断面形状がコ字状の形状をしている。把持溝５１ｅの下方に位置する上方を向いた面にはタイミングベルト４４の歯部に歯合する凹凸面が形成されており、スライドユニット５０は、タイミングベルト４４に把持溝５１ｅを係合させてタイミングベルト４４の移動に追従して移動する。
【００３８】
また、本体５１ａの後面における左上の角部には、コ字状片５９ａと突起５９ｂからなるガイド部５９が形成されている。コ字状片５９ａは、本体５１ａの上縁部から後方に延びたのちに屈曲して下方に延びる片で構成され、突起５９ｂは、本体５１ａの後面におけるコ字状片５９ａの下端右側に対応する部分に設けられた矩形の突起で構成されている。コ字状片５９ａの垂下部の前面と突起５９ｂの後面との間隔は、プレート２１の厚みよりも僅かに長くなっており、スライドユニット５０は、プレート２１の上縁部にガイド部５９を係合させて移動可能になっている。また、本体５１ａの前面における左上の角部近傍には、平面視が略Ｌ形のばね受け部５９ｃが設けられている。
【００３９】
回転リンク機構５２は、ピン５３が設けられた回転係合部５４、棒状部５６および連結部５７を備えている。回転係合部５４は、スライド部材５１の本体５１ａの穴部に回転可能に配置された回転軸５５と、回転軸５５の前端外周から本体５１ａの前面に沿って右方向に延びる搖動棒５４ａと、回転軸５５の後端外周から本体５１ａの後面に沿って搖動棒５４ａに平行して右方向に延びるピン支持棒５４ｂとで構成されている。回転軸５５の中央には、前後に貫通する穴部５５ａが形成されており、この穴部５５ａはワイヤハーネスを通すために利用される。
【００４０】
搖動棒５４ａとピン支持棒５４ｂとは、ともに細長い板状に形成されており、ピン支持棒５４ｂは搖動棒５４ａよりも短くなっている。そして、ピン支持棒５４ｂの裏面の先端に後方に突出する細い円筒状のピン５３が形成されている。このピン５３は、図６（ｂ）に示したように、ガイド溝２２（上部溝２２ａ）に係合しガイド溝２２に沿って移動できる。また、搖動棒５４ａの後面下部における左右方向の略中央にはばね受け部５９ｄが設けられている。なお、図６（ｂ）は、図６（ａ）のｂ−ｂ断面を示したものである。棒状部５６は、搖動棒５４ａを同じ太さで回転軸５５の部分まで延ばした形状に形成されている。この棒状部５６は、一方の端部を本体５１ａの前面における回転軸５５の近傍下方に設けられた軸５６ａに回転可能に支持させて本体５１ａに取り付けられている。
【００４１】
連結部５７は、上下方向に延びる長円形の板で構成されており、上端部が装飾部材５８に接続されて装飾部材５８と一体に形成されている。連結部５７は、上端部が搖動棒５４ａの先端部に軸部５７ａによって回転可能に連結され、下端部が棒状部５６の先端部に軸部５７ｂによって回転可能に連結されている。このため、本体５１ａ、搖動棒５４ａ、棒状部５６および連結部５７で四節リンク機構が構成され、ピン５３が回転方向で上下移動するとピン支持棒５４ｂおよび回転軸５５を介して搖動棒５４ａ、棒状部５６の先端側および連結部５７も上下移動する。また、回転軸５５の周囲にはばね部材５９ｅが巻かれ、その一方の端部はばね受け部５９ｃに係止され、他方の端部はばね受け部５９ｄに係止されている。このばね部材５９ｅによって、回転リンク機構５２は、上方に付勢されている。
【００４２】
装飾部材５８は、連結部５７の上端からさらに上方に延びる連結片５８ａの上端に設けられており、装飾模様が施された部材で構成されている。また、図示は省略するが、装飾部材５８の内部には、ＬＥＤが設置されている。このＬＥＤには、一端が制御装置に接続されスライドユニット５０の前方側から穴部５５ａを通って延びてくるワイヤハーネスの他端が接続される。また、図示は省略するが、本体５１ａの左下部の切り欠かれた部分には、原点位置を示すセンサドグが設けられ、取付板１０の前面におけるプレート部材２０の下部左側部分にセンサドグを検知するセンサが設けられている。このセンサは、ピン５３がガイド溝２２の端部２４ａに位置しているときにセンサドグを検知する。なお、遊技面の窓部は、取付板１０の上部中央側に位置しており取付板１０は遊技者から見えなくなっている。
【００４３】
このように構成された可動装飾装置Ａを備えるパチンコ機には、ソレノイド３９や駆動モータ４３を作動させるための制御装置や、制御装置にソレノイド３９や駆動モータ４３を作動させるための作動信号を発信する信号発信装置などが備わっている。また、制御装置には、プログラムを記憶する記憶手段や、記憶手段が記憶するプログラムを実行するＣＰＵ等が備わっている。そして、制御装置は、信号発信装置から信号が送られたときに、プログラムに基づいて、ソレノイド３９や駆動モータ４３を作動させる。この場合、駆動モータ４３の作動により、スライドユニット５０はガイド棒４１に沿って左右に往復移動し、ソレノイド３９の作動により、切替弁３１ａ，３１ｂ，３１ｃ，３１ｄは所定のタイミングで上下移動する。
【００４４】
つぎに、ソレノイド３９と駆動モータ４３との作動により装飾部材５８が移動する状態を説明する。まず、初期の状態では、スライドユニット５０は原点位置、すなわち、センサがセンサドグを検知する位置に位置している。このとき、装飾部材５８は窓部の可視空間（可視面）から隠れた状態になっている。その状態から、駆動モータ４３の作動により、スライドユニット５０を右側に移動させる。この場合、ソレノイド３９は作動してなく、切替弁３１ａ，３１ｂ，３１ｃ，３１ｄの弁カムは下方に位置した状態になっている。このため、ピン５３はガイド溝２２の上部溝２２ａに沿って移動し、図１に示したように、装飾部材５８は上方に突出して窓部の可視空間に現れた状態になる。さらに、スライドユニット５０が、右側に移動すると、装飾部材５８が窓部の可視空間に現れた状態のまま、図７に示したように、スライドユニット５０は右方向に向かって進む。
【００４５】
そして、ピン５３が端部２４ｂの近傍に達すると、装飾部材５８は窓部の可視空間から隠れ、さらにピン５３が端部２４ｂに到達すると、駆動モータ４３の回転方向が反転してスライドユニット５０は左側に移動するようになる。そのタイミングでソレノイド３９を作動させると切替弁３１ａ，３１ｂ，３１ｃ，３１ｄの弁カムは上方に位置した状態になる。このため、ピン５３はガイド溝２２の下部溝２２ｂに沿って移動し、図８に示したように、装飾部材５８は下降した状態になる。このとき、回転リンク機構５２の右側部分が上昇した状態から下降することにより、装飾部材５８は下降していく。さらに、スライドユニット５０が左側に移動すると、装飾部材５８は窓部の可視空間から隠れた状態を維持する。そして、図９に示したように、スライドユニット５０が、左方向に向かって進み、ピン５３が端部２４ａに近づくと装飾部材５８は上昇していく。このとき、回転リンク機構５２の右側部分が下降した状態から上昇することにより、装飾部材５８は上昇していく。
【００４６】
そして、ピン５３が端部２４ａに到達すると、駆動モータ４３の回転方向が再度反転してスライドユニット５０は右側に移動するようになるが、そのタイミングでソレノイド３９の作動を停止させると弁カム戻しバネ３８の弾性によって切替弁３１ａ，３１ｂ，３１ｃ，３１ｄの弁カムは下方に位置した状態になる。このため、ピン５３はガイド溝２２の上部溝２２ａに沿って移動し、スライドユニット５０は、装飾部材５８を窓部の可視空間から現わせた状態で右方向に移動していく。これを繰り返すことにより、装飾部材５８は左から右に進むときに、窓部の可視空間に現れ、右から左に進むときに窓部から隠れた状態になる。
【００４７】
また、スライドユニット５０が、ピン５３を上部溝２２ａに沿わせて左から右に進む際に、ピン５３が切替弁３１ｃを通過したときに、ソレノイド３９を作動させることにより、ピン５３をバイパス溝２３ｂに沿って下降させることができる。これによると、装飾部材５８を窓部の可視空間に現わせて左から右に移動させる途中で下降させて窓部から隠れるようにすることができる。また、スライドユニット５０が、右から左に進む際に、ソレノイド３９の作動を停止させたままにして、ピン５３を上部溝２２ａに沿わせ、装飾部材５８を窓部の可視空間に現わせた状態で右から左に移動させることもできる。
【００４８】
さらに、その際、ピン５３が切替弁３１ｄを通過したときに、ソレノイド３９を作動させることにより、ピン５３をバイパス溝２３ａに沿って下降させることができる。これによると、装飾部材５８を窓部の可視空間に現わせて右から左に移動させる途中で下降させて窓部から隠れるようにすることができる。このため、装飾部材５８が、急に現れたり、隠れたりするようになりその動きが興趣に富むものとなり、そのタイミングも切替弁３１ａ，３１ｂ，３１ｃ，３１ｄが設けられた４か所で適宜変更することができる。なお、スライドユニット５０は、ガイド部５９をプレート２１の上縁部に係合させることによってスムーズに移動できる。また、ばね部材５９ｅによって、回転リンク機構５２が上方に付勢されることによって、回転リンク機構５２の自重による、ピン５３とガイド溝２２との摩擦抵抗を減少しモータ４３への負荷を軽減する。
【００４９】
以上のように、本実施形態に係る可動装飾装置Ａでは、ソレノイド３９の作動により、切替弁３１ａ，３１ｂ，３１ｃ，３１ｄの弁カムの位置を上下に変更することにより、ピン５３の進行方向を上部溝２２ａ、下部溝２２ｂおよびバイパス溝２３ａ，２３ｂのいずれにでも変更することができる。これによって、装飾部材５８は左右および上下に変化のある移動ができ、興趣に富むものとなる。また、その際、装飾部材５８が窓部の可視空間に突然現れたり隠れたりするようになるため、さらに面白味のある演出が可能になる。
【００５０】
（第２実施形態）
図１０は、本発明の第２実施形態に係る遊技機の可動装飾装置Ｂを示している。この可動装飾装置Ｂでは、前述した可動装飾装置Ａの駆動部４０に代えて駆動部６０を用いている。この駆動部６０は、本発明に係るレール部材としてのスクリューシャフト６１と、スクリューシャフト６１を回転させる駆動モータ６２とを備えている。すなわち、スクリューシャフト６１は、レール部材を構成するとともに、本発明に係るスライド部材駆動機構を構成する駆動部６０の一部を構成している。
【００５１】
スクリューシャフト６１は、外周面にねじが形成された棒で構成されており、プレート部材２０ａの前部側下方で左右水平方向に延びている。このスクリューシャフト６１は、両端部が取付板（図示せず）に設けられた一対の軸受部６３ａ，６３ｂに回転可能に支持されている。そして、スクリューシャフト６１の左端部には、歯車６４が取り付けられており、駆動モータ６２の回転軸６２ａには、歯車６４と歯合する歯車６５が取り付けられている。このため、駆動モータ６２が作動すると、歯車６５，６４を介してスクリューシャフト６１が回転する。
【００５２】
また、スライドユニット７０に備わっているスライド部材７１の摺動筒部７１ｂは、円形の内周面を備えた筒状に形成されており、その内周面にスクリューシャフト６１に螺合できるねじが形成されている。このため、スライドユニット７０は、駆動モータ６２の作動により、スクリューシャフト６１が回転すると、その回転方向に応じて左右に移動する。また、装飾部材７８には、装飾が施されている。この可動装飾装置Ｂのそれ以外の部分の構成については、前述した可動装飾装置Ａと同一である。したがって、同一部分に同一符号を記して説明は省略する。この可動装飾装置Ｂによると、スクリューシャフト６１が、前述した可動装飾装置Ａのガイド棒４１とタイミングベルト４４との双方の部材としての機能を発揮するため、装置の簡略化が可能になる。この可動装飾装置Ｂのそれ以外の作用効果は、前述した可動装飾装置Ａと同様である。
【００５３】
（第３実施形態）
図１１は、本発明の第３実施形態に係る遊技機の可動装飾装置Ｃを示している。この可動装飾装置Ｃでは、プレート部材８０のプレート８１に形成されたガイド溝８２が、上部溝８２ａと、下部溝８２ｂとで構成されている。そして、ガイド溝８２の左側における上部溝８２ａと下部溝８２ｂとが交差する部分に、凹部８５が形成され、この凹部８５にカム軸８６を介して切替弁８７が設置されている。この切替弁８７は力が加わらない状態では自重で弁カム側が下方に位置している。なお、この可動装飾装置Ｃには、切替弁駆動機構は備わっていない。本実施形態に係る可動装飾装置Ｃのそれ以外の部分の構成については、前述した可動装飾装置Ａと同一である。したがって、同一部分に同一符号を記して説明は省略する。
【００５４】
この可動装飾装置Ｃでは、駆動モータ４３の作動により、スライドユニット５０を原点位置から右側に移動させると、ピン５３はガイド溝８２の上部溝８２ａに沿って移動し、装飾部材５８は窓部から現れた状態で移動する。そして、ピン５３が端部２４ｂに到達すると、駆動モータ４３の回転方向が反転してスライドユニット５０は左側に移動し始める。そのとき、ピン５３は、下方の下部溝８２ｂに沿って、端部２４ａに向かって進む。そして、ピン５３が端部２４ａに近づいていくと、装飾部材５８は上昇していく。
【００５５】
そして、ピン５３は、切替弁８７の弁カムを押し上げて端部２４ａに到達する。ピン５３が通過すると、切替弁８７の弁カムは自重により下降して端部２４ａと下部溝８２ｂとを遮断する。このため、駆動モータ４３の反転作動により、スライドユニット５０は、ピン５３を上部溝８２ａに沿わせて右方向に移動する。これを繰り返すことにより、装飾部材５８は左から右に進むときに、窓部に現れ、右から左に進むときに窓部から隠れた状態になる。このように、可動装飾装置Ｃによると、切替弁駆動機構を設けなくても、ピン５３を、ガイド溝８２に沿って環状の時計回り方向に移動させることができる。
【００５６】
本発明に係る遊技機の可動装飾装置は、前述した各実施形態に限定するものでなく、適宜変更することができる。例えば、可動装飾装置Ｃの駆動部４０に代えて、可動装飾装置Ｂの駆動部６０を用いてもよい。また、回転係合部５４にピン支持棒５４ｂを設けず、搖動棒５４ａにピン５３を設け、本体５１ａにおけるピン５３が移動する部分に円弧状の貫通孔を設けてもよい。さらに、ガイド溝２２における下部溝２２ｂとバイパス溝２３ａ，２３ｂとが交差する部分にも切替弁を設けるようにしてもよい。これによると、装飾部材５８，７８の移動をさらに変化のあるものにすることができる。
【００５７】
また、可動装飾装置Ｃの切替弁８７に、弁カムを下方に付勢するばねを設けてもよい。これによると、切替弁８７の弁カムが上方に押し上げられた後の復帰が確実になる。さらに、スライドユニット５０，７０を移動させる駆動部としては、前述した駆動部４０，６０に限らず、ラックとギアを用いたものなどスライドユニット５０，７０を往復移動させることができるものであれば用いることができる。また、回転軸５５の中心と軸５６ａとの間隔、搖動棒５４ａ、棒状部５６および連結部５７の長さを適宜変更したり、前述した回転リンク機構５２に代えて、上下スライド機構を用いたり、装飾部材５８，７８を搖動させる機構を設けたりしてもよい。これによると、装飾部材５８，７８は左右上下に移動するだけでなく、揺動もできるようになるため、さらに興趣に富むものとなる。さらに、遊技機としては、パチンコ機に限らず、スロットマシンやスマートボール等を用いてもよい。さらに、本発明に係る遊技機の可動装飾装置のそれ以外の部分の構成についても本発明の技術的範囲内で適宜変更して実施することが可能である。
【符号の説明】
【００５８】
２０，２０ａ，８０…プレート部材、２２，８２…ガイド溝、２２ａ，８２ａ…上部溝、２２ｂ，８２ｂ…下部溝、２３ａ，２３ｂ…バイパス溝、２４ａ，２４ｂ…端部、２７ａ，２７ｂ，２７ｃ，２７ｄ，８６…カム軸、３０…通路切替機構、３１ａ，３１ｂ，３１ｃ，３１ｄ，８７…切替弁、４０，６０…駆動部、４１…ガイド棒、４２…ベルト駆動部、５１，７１…スライド部材、５２…回転リンク機構、５３…ピン、５４…回転係合部、５５…回転軸、５６…棒状部、５６ａ…軸、５７…連結部、５７ａ，５７ｂ…軸部、５８，７８…装飾部材、Ａ，Ｂ，Ｃ…可動装飾装置。
【図１】
0005849252.tif 000002
【図２】
0005849252.tif 000003
【図３】
0005849252.tif 000004
【図４】
0005849252.tif 000005
【図５】
0005849252.tif 000006
【図６】
0005849252.tif 000007
【図７】
0005849252.tif 000008
【図８】
0005849252.tif 000009
【図９】
0005849252.tif 000010
【図１０】
0005849252.tif 000011
【図１１】
0005849252.tif 000012